(57)【要約】【課題】ゴルフボールの所在地を含めたコンテンツを得ながらプレーを楽しむことができるシステムを提供する。【解決手段】ゴルフ場の管理システム１であって、コースを含む領域に分散して配置された複数の固定通信端末２１であって、ゴルフボール５に内蔵された第１の無線ユニット６からの第１の信号６ａを受信する第１の受信ユニット２５ａおよび第１の信号に基づき、それぞれの固定通信端末からゴルフボールまでの距離を示す情報を含む第１の情報３１を発信する第１の発信ユニット２６を含む複数の固定通信端末２１と、複数の固定通信端末からの第１の情報に基づいて、ゴルフボールの所在地をユーザー５０の端末５１に送信する情報提供ユニット７５ａとを有する管理システムを提供する。【選択図】図１
2019150421.tif 000002
【特許請求の範囲】
【請求項１】
ゴルフ場の管理システムであって、
コースを含む領域に分散して配置された複数の固定通信端末であって、ゴルフボールに内蔵された第１の無線ユニットからの第１の信号を受信する第１の受信ユニットおよび前記第１の信号に基づき、それぞれの固定通信端末から前記ゴルフボールまでの距離を示す情報を含む第１の情報を発信する第１の発信ユニットを含む複数の固定通信端末と、
前記複数の固定通信端末からの前記第１の情報に基づいて、前記ゴルフボールの所在地をユーザーの端末に送信する情報提供ユニットとを有する管理システム。
【請求項２】
請求項１において、
前記第１の情報は、前記ゴルフボールまでの距離を時間経過とともに示す情報を含み、
前記情報提供ユニットは、前記第１の情報に基づいて前記ゴルフボールの軌道の少なくとも一部をトレースするユニットを含む、管理システム。
【請求項３】
請求項１または２において、
前記固定通信端末は、前記ゴルフ場の常設物に内蔵または取り付けられている、管理システム。
【請求項４】
請求項１ないし３のいずれかにおいて、
前記情報提供ユニットは、前記コースを含む領域のプロファイルに基づいて、前記ゴルフボールの所在地からのショットのアドバイスを提供するアドバイザーユニットを含む、管理システム。
【請求項５】
請求項４において、
前記プロファイルは、前記コースを含む領域の人為的、地理的、地形的、気象的および／または時間的なコンディションを含む、管理システム。
【請求項６】
請求項４または５において、
前記アドバイザーユニットは、前記ユーザーの前記ゴルフボールの所在地を含む履歴に基づいて、前記ユーザーのショットの傾向を解析し、次のショットのアドバイスを提供するＡＩユニットを含む、管理システム。
【請求項７】
請求項４ないし６のいずれかにおいて、
前記固定通信端末は、前記プロファイルの時間変動を監視するセンサーを含む、管理システム。
【請求項８】
請求項１ないし７のいずれかにおいて、
前記情報提供ユニットは、ＶＲにて情報を提供するユニットを含む、管理システム。
【請求項９】
請求項１ないし８のいずれかにおいて、
前記ユーザーの端末はカメラを含み、前記情報提供ユニットは、ＡＲにて情報を提供するユニットを含む、管理システム。
【請求項１０】
ゴルフ場のコースを含む領域に分散するように複数が配置される固定通信端末であって、
ゴルフボールに内蔵された第１の無線ユニットからの第１の信号を受信する第１の受信ユニットと、
前記第１の信号に基づき、それぞれの固定通信端末から前記ゴルフボールまでの距離を示す情報を含む第１の情報を発信する第１の発信ユニットとを有する固定通信端末。
【請求項１１】
ゴルフ場のコースを含む領域に分散して配置された常設物であって、請求項９に記載の固定通信端末を含む常設物。
【請求項１２】
ゴルフ場のコースを含む領域に分散して配置される複数の固定通信端末であって、ゴルフボールに内蔵された第１の無線ユニットからの第１の信号を受信する第１の受信ユニットおよび前記第１の信号に基づき、それぞれの固定通信端末から前記ゴルフボールまでの距離を示す情報を含む第１の情報を発信する第１の発信ユニットを含む複数の固定通信端末から、前記第１の情報を取得するユニットと、
前記第１の情報に基づいて、前記ゴルフボールの所在地をユーザーの端末に送信する情報提供ユニットとを有する情報提供システム。
【請求項１３】
ゴルフ場においてユーザーの情報を提供する方法であって、
前記ゴルフ場のコースを含む領域に分散して複数の固定通信端末が配置されており、それぞれの前記固定通信端末は、ゴルフボールに内蔵された第１の無線ユニットからの第１の信号を受信する第１の受信ユニットと、前記第１の信号に基づき、それぞれの固定通信端末から前記ゴルフボールまでの距離を示す情報を含む第１の情報を発信する第１の発信ユニットとを含み、
前記複数の固定通信端末からの前記第１の情報に基づいて前記ゴルフボールの所在地をユーザーの端末に送信することを含む方法。
【発明の詳細な説明】
【技術分野】
【０００１】
本発明は、ゴルフ場の管理システムに関するものである。
【背景技術】
【０００２】
特許文献１には、１つ又は複数のスポーツ・オブジェクトの場所及び飛行経路属性を追跡把握し、それらのスポーツ・オブジェクトを個人のプレーヤに関連付け、それぞれのスポーツ・オブジェクトの場所及び飛行経路を周囲のプレイフィールドに対応付け、それぞれのプレーヤが自分のスポーツ・オブジェクトの場所及び飛行経路属性にアクセスできるようにするための方法及び装置として、標準的なやり方で機能するスポーツ・オブジェクトの能力に悪影響を及ぼすことなく、ＧＰＳ（Global Positioning Satellite）システムから得られた位置及び場所情報を受信及び送信する電子デバイスをスポーツ・オブジェクトに取り付けることが記載されている。
【先行技術文献】
【特許文献】
【０００３】
【特許文献１】特表２００７−５３８２５５号公報
【発明の概要】
【発明が解決しようとする課題】
【０００４】
ゴルフボールにＧＰＳを内蔵することは、耐衝撃性の点でも、また、紛失する可能性が高いことから経済的な点でも難しい。
【課題を解決するための手段】
【０００５】
本発明の一態様は、ゴルフ場の管理システムである。管理システムは、ゴルフ場のコースを含む領域に分散して配置された複数の固定通信端末であって、ゴルフボールに内蔵された第１の無線ユニットからの第１の信号を受信する第１の受信ユニットおよび第１の信号に基づき、それぞれの固定通信端末からゴルフボールまでの距離を示す情報を含む第１の情報を発信する第１の発信ユニットを含む複数の固定通信端末と、複数の固定通信端末からの第１の情報に基づいて、ゴルフボールの所在地をユーザーの端末に送信する情報提供ユニットとを有する。
【０００６】
この管理システムが設置されたゴルフ場においては、コースを含む領域に分散して配置された複数の固定通信端末のそれぞれがゴルフボールまでの距離を測位し、または測位に必要な情報を取得し、情報提供ユニットが、固定通信端末から発信された距離を示す情報を集めることにより判明するゴルフボールの所在地をユーザーの端末に送信する。固定通信端末は、ゴルフ場のコースを含む領域内に配置された中継端末としても機能し、ゴルフボールとしては測位が可能な電波を発信する程度の簡易な構成の無線機能を搭載すればよい。したがって、ゴルフボールとしての衝撃に耐えうる無線機能であって、使い捨ても可能な程度のコストで搭載できる無線機能を備えたゴルフボールにより、ゴルフボールの所在地を随時ユーザーに提供できる管理システムを提供できる。また、ユーザーは、自己のスマートホンなどを端末として、ゴルフボールの所在地を含む情報の提供を受けることができる。
【０００７】
固定通信端末から発信される第１の情報は、ゴルフボールまでの距離を時間経過とともに示す情報を含んでもよく、情報提供ユニットは、この第１の情報に基づいてゴルフボールの軌道の少なくとも一部をトレースするユニットを含んでもよい。２つの固定通信端末でカバーされる領域にゴルフボールが落下した場合であっても、その所在地をさらに精度よく決定できる。また、ゴルフボールの軌道をトレースすることにより、ユーザーのショットの特性を判断することも可能となる。
【０００８】
固定通信端末は、ゴルフ場の常設物に内蔵または取り付けられていてもよい。常設物は、例えば、ヤード杭、ＯＢ杭、コース内のヤード表示用の埋め込みプレート、グリーン上のピン（フラッグ）、散水用設備、照明設備、木や岩などの人工あるいは自然の障害物を挙げることができる。
【０００９】
情報提供ユニットは、ゴルフ場のプロファイルに基づいて、ゴルフボールの所在地からのショットのアドバイスを提供するアドバイザーユニットを含んでもよい。プロファイルは、ゴルフ場のコースを含む領域の人為的、地理的、地形的、気象的および／または時間的なコンディションを含んでもよい。例えば、プロファイルは、各ホールのパー数、グリーンまでの距離、グリーン上のカップの位置、グリーンの状態、コース内の芝の状態、コースの２次元あるいは３次元の起伏などを含む情報、天候、気温、湿度、気圧、風向、風力などの情報を含んでいてもよい。気象条件などの時間的な変動は、固定通信端末を、プロファイルの時間変動を監視するセンサーとして使用することが可能である。
【００１０】
アドバイザーユニットは、ユーザーのゴルフボールの所在地を含む履歴に基づいて、ユーザーのショットの傾向を解析し、次のショットのアドバイスを提供するＡＩユニットを含んでもよい。情報提供ユニットは、ＶＲにて情報を提供するユニットを含んでもよい。ユーザーの端末はカメラを含んでいれば、情報提供ユニットは、ＡＲにて情報を提供するユニットを含んでいてもよい。
【００１１】
本発明の異なる態様の１つは、ゴルフ場のそれぞれのホールに分散するように配置される複数の固定通信端末である。固定通信端末は、ゴルフボールに内蔵された第１の無線ユニットからの第１の信号を受信する第１の受信ユニットと、第１の信号に基づき、それぞれの固定通信端末からゴルフボールまでの距離を示す情報を含む第１の情報を発信する第１の発信ユニットとを有する。
【００１２】
本発明のさらに異なる態様の１つは、ゴルフ場のそれぞれのホール内外に分散して配置された常設物であって、上記の固定通信端末を含む常設物である。
【００１３】
本発明のさらに異なる態様の１つは、情報提供ユニットである。情報提供ユニットは、複数のホールに分散して配置された複数の固定通信端末であって、ゴルフボールに内蔵された第１の無線ユニットからの第１の信号を受信する第１の受信ユニットおよび第１の信号に基づき、それぞれの固定通信端末からゴルフボールまでの距離を示す情報を含む第１の情報を発信する第１の発信ユニットを含む複数の固定通信端末から、第１の情報を取得するユニットと、第１の情報に基づいて、ゴルフボールの所在地をユーザーの端末に送信する情報提供ユニットとを有する。情報提供ユニットは、ゴルフ場内で固定通信端末とイントラネットまたは無線ＬＡＮなどで接続されたサーバーシステムであってもよく、インターネット、携帯電話通信、ＷｉＦｉなどで接続されるクラウド上に配置されたサーバーシステムであってもよく、ユーザーの端末にインストールされるアプリケーションであってもよい。
【００１４】
本発明のさらに異なる態様の１つは、ゴルフ場においてユーザーの情報を提供する方法である。この方法は、複数の固定通信端末からの第１の情報に基づいてゴルフボールの所在地をユーザーの端末に送信することを含む。
【図面の簡単な説明】
【００１５】
【図１】ゴルフ場の管理システムの概要を示す図。
【図２】ユーザーに情報を提供するシステムの概要を示す図。
【発明を実施するための形態】
【００１６】
図１に、ゴルフ場の管理システムの一例を示している。この管理システム１は、ゴルフ場１０の複数のコース１１を含む領域に設置されたセンサーマトリクス（センサーネットワーク）２０と、センサーマトリクス２０からの情報に基づいてゴルフ場１０を管理する管理システム（管理ＡＩ）７０とを含む。センサーマトリクス２０は、各コース（各ホール）１１に分散して配置された複数の固定型のセンサーユニット（通信端末、固定通信端末）２１を含む。通信端末２１の一例は、ヤード杭２９に内蔵または取り付けられた通信端末２１である。通信端末２１は、センサー群２５と、通信ユニット２６とを含む。通信端末２１は、バッテリー、ユーザーインターフェイスなどの、ローカルで電子通信ユニットを構成するための他の機能ユニットまたは部品を含んでいてもよい。
【００１７】
センサー群２５は、ヤード杭２９などに端末２１とともに内蔵されていてもよく、外に取り付けられていてもよく、有線または無線によりヤード杭２９などに内蔵された端末２１と接続されていてもよい。センサー群２５に含まれるセンサーの一例は、光センサーを兼ねた太陽光パネル２５ｂと、風向風力計２５ｃと、雨量計２５ｄと、温度・湿度センサー２５ｅと、ゴルフボール５に内蔵された無線ユニット（第１の無線ユニット）６からの信号（第１の信号）６ａを受信する受信ユニット（第１の受信ユニット）２５ａとである。センサー群２５は、接近センサー、ステレオカメラなど、ゴルフ場の運営および管理に有用な他の物理量、画像、あるいは、動植物の観察などを含むその他の測定値を測定するためのセンサーを含んでいてもよい。
【００１８】
通信端末２１の他の例は、コース１１に埋め込まれたヤードプレート２８に内蔵された通信端末２１であり、センサー群２５と、通信ユニット２６とを含む。センサー群２５は、ゴルフボール５からの信号を受信する受信ユニット２５ａに加えて、地中の水分量を測定する水分センサーなどの他のセンサーを含んでいてもよい。通信端末２１は、コース１１の内外に設置される他の物品（常設物）に装着あるいは内蔵されていてもよく、通信端末２１を内蔵あるいは装着できるものとしては、ＯＢ杭、グリーン上のピン（フラッグ）、散水用設備、照明設備、木や岩などの人工あるいは自然の障害物を挙げることができる。ゴルフコース１１の内外を移動する芝刈り機８１あるいはカート８２などの移動体（施設車両）８０が、センサー群２５および通信ユニット２６を備えた移動型のセンサーユニットとして機能してもよい。
【００１９】
固定型のセンサーユニット（通信端末）２１は、ゴルフボール５から信号を受信する受信ユニット２５ａの受信範囲２３が相互に重複するようにコース１１の内外に配置される。ゴルフボール５に内蔵される無線通信ユニット（無線ユニット、第１の無線ユニット）６は、外部に無線信号を送信する任意の通信デバイスである。無線ユニット６は、例えば、無線通信規格の１つであるブルートゥース（Bluetooth：登録商標）に準拠するブルートゥース通信モジュールであってよい。無線ユニット６の一例は、クラス１（最大到達距離約１００ｍ）対応のブルートゥース通信モジュールである。なお、無線ユニット６は、ブルートゥース通信モジュールに限定されず、無線ユニット６で使用される無線通信規格等は、任意に選択されてよい。
【００２０】
ゴルフボール５の検索用センサーとして機能する受信ユニット（第１の受信ユニット）２５ａの一例は、上記の無線ユニット６に対応した、クラス１（最大到達距離約１００ｍ）対応のブルートゥース通信モジュールである。受信ユニット２５ａは、受信ユニット２５ａを含む通信端末２１と、通信端末２１が信号（第１の信号）６ａを受信したゴルフボール５との間の距離を測位する測位センサーとしても機能する。ブルートゥース通信を用いた測位はビーコン測位とも呼ばれるが、距離を測位する方法は、受信強度に基づいた方法であってもよく、電波の到達時間の差に基づいた方法であってもよく、他の方法であってもよい。
【００２１】
各通信端末２１により得られたセンサー群２５の情報（第１の情報、センサー情報）３１は、基地局６２を介して、携帯電話通信網および／またはインターネットを用いたクラウド６１に接続された総合管理ＡＩ（総合管理ユニット、管理ユニット）７０に送られる。管理ユニット７０は、ユーザー５０とのインターフェイスを担当するユーザー管理ＡＩ（ユーザー管理ユニット、ＡＩユニット）７１と、ゴルフ場１０の施設を管理する施設管理ＡＩ（施設管理ユニット）７２と、ゴルフ場１０の地理的なプロファイルなどを備えた管理データベース７３とを含む。ユーザー管理ＡＩ７１は、ユーザー５０に対してゴルフコースやプレーなどに関する様々な情報（ユーザー向け情報、コンテンツ）３２を提供する情報提供ユニット７５を含む。したがって、総合管理ＡＩ７０は、ユーザー５０に様々な情報を提供する情報提供システムとして機能する。本例においては、ユーザー向け情報３２は、ユーザー５０の端末５１を介してユーザー５０に提供される。端末５１の典型的な例はスマートホンであり、ユーザー向け情報３２は、管理ユニット（情報提供システム）７０から、クラウド６１および基地局６２を介して端末５１に提供される。
【００２２】
人口知能（ＡＩ）を用いた管理ユニット（管理システム）７０は、コース、地形、気象などが個々に異なるゴルフ場に対して、より適切な管理機能を提供できるので、ゴルフ場の管理システム１としては好適なものであるが、管理ユニット７０はエキスパートシステム、あるいは他の公知のソフトウェアおよびハードウェア技術を用いて構築されたものであってもよい。
【００２３】
ユーザー向け情報３２に含まれる情報の１つは、ユーザー５０が打った（ショットした）ボール５の所在地５ｘである。情報提供ユニット７５は、複数の通信端末２１から得られた複数のセンサー情報３１に含まれているゴルフボール５までの距離に係る情報、例えば、各通信端末２１により測位された距離、あるいは距離を算出するための信号強度または信号の時間差などを取得して所在地５ｘをゴルフコース１１の地図などに反映してユーザー情報３２に含めてユーザー５０に提供するボール所在地提供機能（ユニット）７５ａを含む。ボール所在地提供ユニット７５ａは、３つ以上の通信端末２１からゴルフボール５までの距離が判明すれば、コース１１の内外におけるゴルフボール５の所在地を特定できる。また、２つまたは１つの通信端末２１からゴルフボール５までの距離が判明している場合は、ボール所在地提供ユニット７５ａは、１または複数の通信端末２１からボール５までの距離の時間変化よりボール５の軌道（弾道）の少なくとも一部をトレースしてボール５の所在地を特定することができる。ゴルフコース１１の内外を受信範囲２３が１００％重複するように複数の通信端末２１を配置できれば、ボール５の所在地をより精度よく特定できる。
【００２４】
このように、この管理システム１においては、ボール５からの無線信号を受信できるセンサーマトリクス２０がコース１１を含む領域に配置されているので、ビーコンとしての機能を備えた通信ユニット６を搭載したボール５を用いてプレーすることにより、ボール５の位置が簡単に判明し、ユーザー５０にフィードバックできる。したがって、ＧＰＳのような高価で耐衝撃性も低いデバイスをボール５に搭載しなくてもよく、ユーザー５０は、低コストで、安全に、ゴルフを楽しむことができる。
【００２５】
また、この管理システム１においては、ユーザー５０の位置やプレー状況が、ユーザー５０の端末５１の位置と、ボール５の所在地５ｘとを照合することにより類推可能であり、ユーザー管理ＡＩ７１と施設管理ＡＩ７２とが協働して、ユーザー５０のショットに障害となる可能性がある芝刈り機８１、散水機（不図示）などの、固定された機器・設備および走行可能な機器・設備を含む施設８０の稼働を一時的に停止したり、退避させたりすることが可能である。したがって、ユーザー５０のプレーに支障をきたさないように、施設の整備などを、施設管理ＡＩ７２が自律的に、自動的に制御することが可能となる。このため、常に、より良い状態のコース１１で、ユーザー５０は、芝刈り機８１や散水機の稼働をストレスとして感じることなく、プレーを楽しむことが可能となる。また、ゴルフ場の整備に必要なスタッフの労力を軽減できる。
【００２６】
また、施設管理ＡＩ７２またはユーザー管理ＡＩ７１が、ユーザー５０の端末５１の位置と、ボール５の所在地５ｘとを照合することにより、カート８２を自動的にユーザー５０のプレーに都合がよいように制御することも可能となる。また、カート８２と端末５１としての機能を兼ね備えたロボットキャディーを導入することも可能となる。したがって、ゴルフ場１０の管理を自動化しながら、ユーザーファーストのサービスを提供することが可能となる。
【００２７】
図２に、管理システム１の中の、ユーザー５０の端末５１に情報を提供する構成を抜き出して示している。センサーマトリクス２０を構成するように、ゴルフ場１０の内部、特に、コース１１を含む領域（コース１１の内外）に分散して配置される固定通信端末２１は、センサー群２５と、センサー群２５から得られた情報（センサー情報）３１、特に、ボール５までの距離を含むセンサー情報３１を発信する発信ユニット（第１の発信ユニット）２６とを含む。センサー群２５に含まれるセンサーの一例は、ボール５に内蔵された通信ユニット６からの電波（信号）６ａを受信する受信ユニット（第１の受信ユニット）２５ａと、太陽電池２５ｂと、風向風力センサー２５ｃと、雨量センサー２５ｄとである。
【００２８】
発信ユニット２６は、携帯通信網（ＬＴＥ）、ＷｉＦｉなどの方式で通信するためのコミュニケーションユニット２６ａと、センサー群２５により取得されたデータを、そのままあるいは加工して、定期的に、あるいは、イベントが発生すると、コミュニケーションユニット２６ａを介してセンサー情報３１として発信する制御ユニット２６ｂとを含む。制御ユニット２６ｂは、ボール５の通信ユニット６が発信する信号６ａを受信すると、固定通信端末２１からボール５までの距離に関する情報を含むセンサー情報３１を自動的に発信する。センサー情報３１は、ボール５までの距離の時間変化に関する情報３１ａを含んでもよく、あるいは、センサー情報３１を取得する管理ＡＩ７０が、距離の時間変化を評価できるようにセンサー情報３１を発信してもよい。また、センサー情報３１には、ボール５までの距離に関する情報３１ａとともに、あるいは別に、センサー群２５の他のセンサーが測定したデータ、例えば、気象データ３１ｂを含んでもよい。また、センサー群２５がステレオカメラなどの画像を取得する機能を含んでいれば、ボール５の方向の画像あるいはゴルフ場の監視画像を含んでもよい。
【００２９】
管理ユニット７０は、固定通信端末２１から発信されたセンサー情報３１を取得するインターフェイスユニット７７と、ユーザー５０の端末５１にボール５の所在地５ｘを含むユーザー向け情報（コンテンツ）３２を生成および提供する情報提供機能７５を含むユーザー管理ＡＩ７１と、施設管理ＡＩ７２と、ゴルフ場１０およびコース１１に関する様々なプロファイル７４を格納した管理データベース７３とを含む。プロファイル７４の一例は、コース１１の地理的な２次元または３次元プロファイルなどの時間的な変動の少ない情報群（データベース）７３ａであり、他の例は、気象条件などの時間的に変動する情報群（データベース）７３ｂである。管理データベース７３は、ユーザー各々の情報、例えば、ハンディー、ゴルフ経験、過去のショットの傾向、クラブ毎の飛距離、当日の過去のショットの傾向、履歴などを格納する情報群（データベース）７３ｃを備えていてもよくプロファイル７４として提供してもよい。時間的に変動するプロファイル（時間変動するプロファイル、時間変動する情報群）７３ｂは、固定通信端末２１に付随するセンサー群２５から随時取得してもよく、設備車両などの移動型の通信端末８１および８２に付随するセンサー群２５から随時取得してもよい。
【００３０】
情報提供機能７５は、センサー情報３１に含まれる、固定通信端末２１からボール５までの距離に関する情報３１ａに基づいてボール５の所在地５ｘを求め、コース１１の２次元または３次元のプロファイル３２ａとともにユーザー５０の端末５１に提供するボール所在地提供機能７５ａと、時間経過とともに距離に関する情報３１ａを解析して、ボール５の弾道（軌道）を解析する弾道解析機構７５ｂと、ボール５の所在地５ｘおよび／または求められた弾道とコースのプロファイル７４とに基づいて、所在地５ｘからの次のショットのアドバイス３２ｂを提供するアドバイザー機能（アドバイザーユニット、アドバイザーＡＩユニット）７５ｃとを含む。
【００３１】
ユーザー５０の端末５１は、典型的にはスマートホンであり、通信機能５２と、ユーザーインターフェイスを備え、アプリケーションが稼働する情報処理機能５４と、センサー群５３とを含む。センサー群５３は、端末５１の位置情報を取得するＧＰＳ５３ｂ、周囲の画像を取得するカメラユニット５３ａなどを含んでいてもよい。情報処理機能５４で稼働するアプリケーションが情報提供機能７５から提供されるユーザー向け情報３２に含まれるコンテンツを、ユーザーインターフェイスであるディスプレイに表示したり、音声応答などによりユーザー５０に提供する。
【００３２】
アドバイザーユニット７５ｃは、判明したボール５の所在地５ｘと、ゴルフコース１１のプロファイル７４に基づき、次のショットのアドバイス３２ｂを生成して提供する。プロファイル７４には、ゴルフ場のコース１１を含む領域の人為的、地理的、地形的、気象的および／または時間的なコンディションを含んでもよい。例えば、プロファイル７４は、各コース（ホール）のパー数、グリーンまでの距離、グリーン上のカップの位置、コースの２次元あるいは３次元の起伏などの時間的な変動のほとんどない固定的な情報を含んでいてもよい。また、プロファイル７４は、グリーンの状態、コース内の芝の状態、天候、気温、湿度、気圧、風向、風力などの時間とともに変動する情報を含んでいてもよい。気象条件などの時間的に変動する条件は、コース内外に設置されたセンサーユニットである固定通信端末２１から取得できる。
【００３３】
アドバイザーユニット７５ｃは、プロファイル７４とアドバイスとを含めた情報を２次元または３次元のＶＲ（バーチャルリアリティ）により端末５１に表示するためのコンテンツ３２を提供する機能７５ｄを含んでいてもよい。また、アドバイザーユニット７５ｃは、端末５１のカメラ５３ａにより得られた画像に、プロファイル７４とアドバイスとを含めた情報を重ねてＡＲ（拡張現実）として表示するためのコンテンツ３２を提供する機能７５ｅを含んでいてもよい。アドバイザーユニット７５ｃは、それらの情報をＭＲ（複合現実）として表示するためのコンテンツ３２を提供する機能を備えていてもよい。
【００３４】
アドバイザーユニット７５ｃは、ユーザー５０のゴルフボール５の所在地５ｘを含む履歴に基づいて、ユーザー５０のショットの傾向を人工知能（ＡＩ）が解析し、次のショットのアドバイスを提供する機能を含んでいてもよい。ユーザー５０は、端末５１を介してユーザー管理ＡＩ７１との間で対話型のアドバイスを求めることが可能であり、次のショットについてアドバイスを求めたり、前のショットの評価を聞いたり、グッドショットなどの声をＡＩ７１から聞きながら、プレーとともにＡＩ７１との会話を楽しむことができる。このため、ユーザー５０が初心者であっても、また、初めてのコースであっても、ストレスなく、プレーを楽しむことができる。
【００３５】
また、管理ＡＩ７０においては、ユーザー管理ＡＩ７１と、施設管理ＡＩ７２とが協働してユーザー５０が安全にプレーを楽しめるとともに、ゴルフ場１０の管理が常に行われるように施設を運営する。このため、この管理システム１を導入することにより、ゴルフ場１０のランニング費用を抑えながら、ユーザー５０がゴルフを楽しめる環境を提供できる。また、この管理システム１においては、センサーマトリクス２０をゴルフ場１０に張り巡らせることにより、簡易な通信機能、例えば、ビーコンを内蔵しただけの安価で耐久性の高いゴルフボール５を用いて、ユーザー５０は、ゴルフボール５の所在地５ｘを含めてプレーに有効なコンテンツを得ることが可能であり、安価にゴルフを楽しむことができる。
【符号の説明】
【００３６】
１  管理システム、  ５  ゴルフボール
２０  センサーマトリクス、  ２１  固定通信端末（センサーユニット）
７０  管理システム
【図１】
2019150421.tif 000003
【図２】
2019150421.tif 000004